(57)【要約】【課題】  タンク内の温水に補給水が供給され混合しても、噴射されるために吸い込まれる温水の温度低下が小さく、必要な時に、効率よく高温度で噴射できる高温水洗浄装置を提供することを目的とする。【解決手段】  温水貯蔵タンク３内に、下方に配設された第１ヒータ１と、第１ヒータ１の上方に配設された第２ヒータ２と、第２ヒータ２を包囲状として配設され一方側４ａに吸込口部５が形成されたカバー体４と、第１ヒータ１の下方に設けられタンク３内に補給水を供給する補給水供給手段６と、を備える。また、カバー体４の他方側４ｂに形成された高温水取出部８と、洗浄銃９とが、ポンプ12を介して連通連結されている。また、カバー体４の吸込口部５が、下向きに開口して形成されている。【選択図】  図１
2005095826.tif 000002
【特許請求の範囲】
【請求項１】
温水貯蔵タンク（３）内に、下方に配設された第１ヒータ（１）と、該第１ヒータ（１）の上方に配設された第２ヒータ（２）と、該第２ヒータ（２）を包囲状として配設され一方側（４ａ）に吸込口部（５）が形成されたカバー体（４）と、上記第１ヒータ（１）の下方に設けられ上記タンク（３）内に補給水を供給する補給水供給手段（６）と、を備え、
上記カバー体（４）の他方側（４ｂ）に形成された高温水取出部（８）と、洗浄銃（９）とが、ポンプ（12）を介して連通連結されていることを特徴とする高温水洗浄装置。
【請求項２】
上記カバー体（４）の吸込口部（５）が、下向きに開口して形成されている請求項１記載の高温水洗浄装置。
【請求項３】
上記カバー体（４）は上記タンク（３）の側壁（３ｂ）に貫設されて、かつ上記タンク（３）の他方側（４ｂ）は、上記タンク（３）の外部側に配設されると共に配管（21）にて上記ポンプ（12）に接続されている請求項１又は２記載の高温水洗浄装置。
【請求項４】
上記カバー体（４）の内面と上記第２ヒータ（２）の外面との間に、螺旋状誘導板（45）を介設した請求項１，２又は３記載の高温水洗浄装置。
【請求項５】
上記補給水供給手段（６）は、周囲部（７ａ）が上記タンク（３）の側壁（３ｂ）の内周面に付設され上記タンク（３）の底面（３ａ）及び側壁（３ｂ）とにより空間（Ｓ）を形成し複数の孔（７ｂ）を有する板体（７）と、上記タンク（３）の側壁（３ｂ）に形成されタンク（３）の外部から上記空間（Ｓ）内に補給水を供給するための給水口部（11）と、を具備した請求項１，２，３又は４記載の高温水洗浄装置。
【請求項６】
上記補給水供給手段（６）は、下方向に補給水を噴出する水噴出孔（26）を列設した水平状パイプ（27）から成る請求項１，２，３又は４記載の高温水洗浄装置。
【請求項７】
上記ポンプ（12）が作動状態では、上記第１ヒータ（１）が停止すると共に上記第２ヒータ（２）が作動し、
かつ、上記ポンプ（12）が停止状態では、上記第１ヒータ（１）が作動すると共に上記第２ヒータ（２）が停止するように構成された請求項１，２，３，４，５又は６記載の高温水洗浄装置。
【発明の詳細な説明】
【技術分野】
【０００１】
本発明は、食品，医療関係の工場等に於ける洗浄や殺菌等に使用されたり、自動車の工場等で洗浄用に使用される高温水洗浄装置に関するものである。
【背景技術】
【０００２】
従来、図４に示すような高温水洗浄装置があり、この高温水洗浄装置は、洗浄銃39の噴射スイッチを入れると、ポンプ34が作動し、高温水がタンク30内から流出し、水位33が下がる。
【０００３】
すると、タンク30内に、フロート付きバルブ24から独自に補給水が（冷水）が勢いよく入り、温水と冷水が混合するので、タンク30内の水温が下がる。
そして、サーモスタット35により温度低下が測定され、独自にヒータ25により加熱される。しかし、通常の電源容量のヒータでは加熱量が少ないため、ヒータ25で加熱しても、タンク30内の水温は下がる一方で、温水を高温に保つのが困難であり、洗浄銃39から一定して高温水を噴射することができない。
【０００４】
また、従来の高温水洗浄装置の他の例として、温水貯蔵タンク内部下方にヒータを有し、タンクの上部に接続された高温水取出部から温水を取り出し、洗浄銃から噴射するものが知られている（例えば、特許文献１）。
【特許文献１】特開平５−２３９８５８号公報
【発明の開示】
【発明が解決しようとする課題】
【０００５】
この従来の高温水洗浄装置に於て、タンク内でヒータにより加熱昇温された温水が使用中に減少してくると、給水管から補給水が供給され、温水と冷水がタンク内全体にて混合し、ヒータで加熱していても、タンク内の温水を高温に保持するのが困難である。よって、高温の温水を噴射させることができない場合が生ずる。
【０００６】
そこで、本発明は、タンク内の温水に冷水（補給水）が供給され混合しても噴射されるために吸い込まれる温水の温度低下が小さく、必要な時に、効率よく高温度で噴射できる高温水洗浄装置を提供することを目的とする。
【課題を解決するための手段】
【０００７】
上記の目的を達成するために、本発明に係る高温水洗浄装置は、温水貯蔵タンク内に、下方に配設された第１ヒータと、該第１ヒータの上方に配設された第２ヒータと、該第２ヒータを包囲状として配設され一方側に吸込口部が形成されたカバー体と、上記第１ヒータの下方に設けられ上記タンク内に補給水を供給する補給水供給手段と、を備え、上記カバー体の他方側に形成された高温水取出部と、洗浄銃とが、ポンプを介して連通連結されている。
【０００８】
また、上記カバー体の吸込口部が、下向きに開口して形成されている。
また、上記カバー体は上記タンクの側壁に貫設されて、かつ上記タンクの他方側は、上記タンクの外部側に配設されると共に配管にて上記ポンプに接続されている。また、上記カバー体の内面と上記第２ヒータの外面との間に、螺旋状誘導板を介設したものである。
【０００９】
また、上記補給水供給手段は、周囲部が上記タンクの側壁の内周面に付設され上記タンクの底面及び側壁とにより空間を形成し複数の孔を有する板体と、上記タンクの側壁に形成されタンクの外部から上記空間内に補給水を供給するための給水口部と、を具備している。または、上記補給水供給手段は、下方向に補給水を噴出する水噴出孔を列設した水平状パイプから成る。
【００１０】
さらに、上記ポンプが作動状態では、上記第１ヒータが停止すると共に上記第２ヒータが作動し、かつ、上記ポンプが停止状態では、上記第１ヒータが作動すると共に上記第２ヒータが停止するように構成されている。
【発明の効果】
【００１１】
本発明は、次のような著大な効果を奏する。
洗浄する時には、温水を、迅速かつ効率よく、必要な高温度まで昇温して洗浄銃に流すことができ、かつ、洗浄しない時には、タンク内での温水の温度を、熱損失を少ない状態で効率よく（少ない電力で）保つことができる。
また、補給水が供給されても、吸込口部からは比較的温度低下の少ない温水が吸い込まれて、その後、第２ヒータで昇温されるので、巧妙に高温水が送り出されて高温水の洗浄が可能となる。
【発明を実施するための最良の形態】
【００１２】
以下、実施の形態を示す図面に基づき、本発明を詳説する。
図１に示すように、洗浄装置10は、温水貯蔵タンク３と、タンク３内の下方に配設された第１ヒータ１と、タンク３内にて第１ヒータ１の上方に配設された第２ヒータ２と、第２ヒータ２を包囲状として配設され一方側４ａに吸込口部５が形成されたカバー体４と、タンク３内にて第１ヒータ１の下方に設けられタンク３内に補給水を供給する補給水供給手段６と、を備える。
【００１３】
さらに、洗浄装置10は、高温水を噴射し洗浄するための洗浄銃９と、ポンプ12と、カバー体４の他方側４ｂに形成された高温水取出部８と洗浄銃９とをポンプ12を介して連通連結する配管21と、ポンプ12と高温水取出部８の中間に於て配管21に介入接続される電磁弁20等と、を備える。
そして、タンク３内の上方には、水位13を検知する上限レベルスイッチ（検知棒）17及び下限レベルスイッチ（検知棒）18が配設され、タンク３の側壁３ｂには、第１ヒータ１と略同じ高さの位置に、サーモスタット15が付設される。
また、16は、高温水取出部８と電磁弁20の中間に於て配管21に取り付けられ高温水取出部８から流出した高温水の温度を測定するサーモスタットである。
ポンプ12と第２ヒータ２、及び電磁弁20とポンプ12は、電気的に接続されており、ポンプ12が作動開始すると同時に、第２ヒータ２の電源が入り、かつ電磁弁20が開状態になる。
【００１４】
第１ヒータ１及び第２ヒータ２は、横方向細長形状の電気ヒータであり、第１ヒータ１の端部は、タンク３の側壁３ｂに付設され、電源と配線にて接続されている。
また、第２ヒータ２を包囲状として配設されたカバー体４は、一方側４ａから他方側４ｂにかけて横方向細長筒形状で、タンク３の側壁３ｂに貫設されており、一方側４ａをタンク３内部に配設されると共に他方側４ｂをタンク３の外部側に配設される。
そして、第２ヒータ２の端部は、カバー体４の他方側４ｂに付設され、電源と配線にて接続されている。
カバー体４の一方側４ａは、下方向きの短筒形状に形成され、その下端面は、下向きに開口した吸込口部５を有する。
【００１５】
補給水供給手段６は、周囲部７ａがタンク３の側壁３ｂの内周面に付設されタンク３の底面３ａ及び側壁３ｂとにより空間Ｓを形成する板体７と、タンク３の側壁３ｂに形成されタンク３の外部から空間Ｓ内に補給水を供給するための給水口部11と、を具備し、板体７は、全面にわたって複数の孔７ｂが形成されている。
タンク３の側壁３ｂの外周面には、給水口部11に補給水を供給する配管を接続するための接続部が形成されている。19は、補給水を供給する外部配管に設けられる電磁弁であり、電磁弁19は、下限レベルスイッチ18と電気的に接続されている。
【００１６】
また、第１ヒータ１と第２ヒータ２とは、同時に電源が入ることがないように、制御回路が組まれており、これによって電源容量が過大とならないで済む。
具体的には、ポンプ12が作動開始すると、第２ヒータ２の電源が入ると共に、第１ヒータ１の電源が切れるか、あるいは第１ヒータ１の電源が切れた状態であったなら、切れた状態のままである。
また、ポンプ12が停止すると、第２ヒータ２の電源が切れると共に、第１ヒータ１の電源が入る。なお、ポンプ12の作動中でも、サーモスタット16で測定して昇温の必要がないと判断されれば、第２ヒータ２の電源を切ってもよい。
【００１７】
上述した洗浄装置10の使用方法（作用）について詳説する。
図１に於て、洗浄銃９を使用していない時には、上方の第２ヒータ２の電源は入っておらず、下方の第１ヒータ１の電源が入り温水を加熱する。
このとき、サーモスタット15により水温が測定され、第１ヒータ１の加熱量が制御され、タンク３内の温水が、例えば約80℃に保持される。
【００１８】
次に、洗浄銃９の噴射スイッチが入れられポンプ12が作動を開始すると同時に、電磁弁20が開状態になり、第１ヒータ１の電源が切れ、第２ヒータ２の電源が入る。
すると、カバー体４の内部で、吸込口部５から吸い込まれた上記の約80℃の温水は、第２ヒータ２によって加熱され、 100℃近くまで昇温する。そして、高温水取出部８から流出し、配管21を通りポンプ12を介して、洗浄銃９から噴射される。
【００１９】
このとき、吸込口部５はカバー体４の最低位置に於て下向きに開口しているので、 100℃近くまで上昇した温水は比重が小さく、カバー体４内からタンク３内に逆流しない。そのため、カバー体４内部の温水は高温に保たれる。
また、高温水取出部８が、他方側４ｂの上部、あるいは、側部に形成されれば、高温の温水は、高温水取出部８を通ってカバー体４内から流出し易い。
【００２０】
洗浄銃９から高温水を噴射して、タンク３内の水位13が、所定下限水位まで下がると、下限レベルスイッチ18が検知し、電磁弁19が開状態となり、補給水が、空間Ｓに入り、板体７の複数の孔７ｂ…から、矢印22のように緩やかにタンク３内に流入する。所定下限水位は、カバー体４の上部よりも上方のレベルである。
このとき、冷水の比重は温水の比重よりも大きく、タンク３の下部に冷えた温水は滞留し、第２ヒータ２付近の温水の温度が急に下がることはない。
そして、タンク３内の水位13が所定上限水位まで上がると、上限レベルスイッチ17が検知し、電磁弁19は閉状態となり、補給水の供給が止まる。
【００２１】
そして、洗浄銃９の噴射スイッチを切ると、ポンプ12が停止し、電磁弁20が閉状態になる。これと同時に、第２ヒータ２の電源が切れると共に第１ヒータ１の電源が入って、（補給水により温度低下した）タンク３内の温水を加熱し、昇温する。
【００２２】
本発明は、図１に基づいて述べた上述の実施の形態に限定されず、設計変更自由であって、例えば、図２に示すように、補給水供給手段６としては、（図１の板体７を省略して）複数の水噴出孔26…を列設した水平状パイプ27をもって構成するが、この水噴出孔26…は、下方向に、矢印22Ａにて示すように、補給水を噴出するように、略下方向に開口している。
さらに具体的には、先端にキャップ28にて栓をした（閉じた）パイプ27を、タンク３の下方の側壁から挿入して構成され、構造の簡素化を図っている。
なお、図２に於て、２点鎖線で示すように、温水用タンク３を、保温材29にて囲むのも望ましい。つまり、放熱を防ぎ、省エネ効果を上げ、経済的である。
【００２３】
また、図３に示すように、カバー体４の内面と第２ヒータ２の外面との間（の流路内）に、螺旋状誘導板45を介設するのも、好ましい。即ち、カバー体４は横方向細長筒形状であって、その内面に、螺旋ヒダ状に誘導板45を突出状に付設し、その後、第２ヒータ２を中心孔に挿入すると、螺旋状の流路が形成される。
このようにすれば、矢印14のように吸込口部５から入った水は、矢印14Ａ，14Ｂのように螺旋状に流れ、第２ヒータ２の周囲を廻って熱交換が十分に行われ、熱が十分に水に伝えられる。なお、（図示省略するが）第２ヒータ２側に螺旋状誘導板45を突設するも、自由である。
【００２４】
以上のように、本発明の洗浄装置10は、温水貯蔵タンク３内に、下方に配設された第１ヒータ１と、第１ヒータ１の上方に配設された第２ヒータ２と、第２ヒータ２を包囲状として配設され一方側４ａに吸込口部５が形成されたカバー体４と、第１ヒータ１の下方に設けられタンク３内に補給水を供給する補給水供給手段６と、を備え、カバー体４の他方側４ｂに形成された高温水取出部８と、洗浄銃９とが、ポンプ12を介して連通連結されているので、洗浄しない時には、タンク３内での温水の温度を、熱損失を少ない状態で効率よく（少ない電力で）保つことができ、かつ、洗浄する時には、温水を、迅速かつ効率よく、必要な高温度まで昇温して洗浄銃９に流すことができる。
また、補給水（冷水）が供給されても、タンク３内の下方部位に滞留し、上方での温度低下が小さく、吸込口部５からは、、一定した温度で吸水して効率よく利用できる。
【００２５】
また、カバー体４の吸込口部５が、下向きに開口して形成されているので、第２ヒータ２により高温度に昇温した温水は比重が小さく、カバー体４内からタンク３内に流出（逆流）しない。そのため、カバー体４内部の温水は高温に保たれるので、常に高温度の温水を洗浄銃９に流すことができる。
【００２６】
また、カバー体４はタンク３の側壁３ｂに貫設されて、かつタンク３の他方側４ｂは、タンク３の外部側に配設されると共に配管21にてポンプ12に接続されているので、カバー体４の内部で昇温された高温水は、温度が下がることなく、効率よく、かつ迅速に洗浄銃９に流される。
さらに、高温水取出部８が、他方側４ｂの上部、あるいは、側部に形成されれば、カバー体４内から、高温度に上昇した温水が流出し易いので、高温水を、一層効率よく洗浄銃９に流出することができる。
また、上記カバー体４の内面と上記第２ヒータ２の外面との間に、螺旋状誘導板45を介設した構造とすれば、第２ヒータ２と接触する時間が長くなり、温水は一層高温度に上昇できる。つまり、熱交換が十分に、かつ、短秒間に、行い得る。
【００２７】
また、補給水供給手段６は、周囲部７ａがタンク３の側壁３ｂの内周面に付設されタンク３の底面３ａ及び側壁３ｂとにより空間Ｓを形成し複数の孔７ｂを有する板体７と、タンク３の側壁３ｂに形成されタンク３の外部から空間Ｓ内に補給水を供給するための給水口部11と、を具備しているので、下方から供給される補給水を緩やかに流すことができ、タンク３内に於て、上方の吸込口部５から吸い込まれる温水の温度が下がりにくい。
【００２８】
または、上記補給水供給手段（６）は、下方向に補給水を噴出する水噴出孔（26）を列設した水平状パイプ（27）から成るので、構造が簡素でありながら、タンク３内に於て、上方の吸込口部５から吸い込まれる温水の温度が下がらず、高く維持できる。
さらに、ポンプ12が作動状態では、第１ヒータ１が停止すると共に第２ヒータ２が作動し、かつ、ポンプ12が停止状態では、第１ヒータ１が作動すると共に第２ヒータ２が停止するように構成されているので、一度に必要となる電力を最小限に抑えることができ、大きな電源容量を設ける必要がない。しかも、貯水タンク方式なので、夜間に温水をつくれば、夜間割引により、経済的にも好都合である。
【００２９】
また、上述した図２の従来の洗浄装置は、自動車関連の工場等で使用され、例えば、タンク30の容量が 100〜 150リットルで、ヒータ25の電源容量が３ｋｗ程度であり、この場合、ヒータ25により（約15℃の）冷水を約80℃に昇温させるには、約３時間半かかってしまう。
また、 100℃近くまで昇温させた温水は、放熱が大きいので、ヒータ25が上記の温度に保持するには多くの電力を要する上、昇温効率が悪い。さらに蒸気（湯気）が大量に発生するため装置廻りの環境も悪くなる虞れがある。
また、本発明は上述の実施の形態に限定されず、第１ヒータ１を、ポンプ12（又は第２ヒータ２）のＯＮ・ＯＦＦとは無関係に、ＯＮ・ＯＦＦ制御しても自由である。
【図面の簡単な説明】
【００３０】
【図１】本発明の高温水洗浄装置に係る実施の一形態を示す説明用一部断面側面図である。
【図２】他の実施の形態を示す断面側面図である。
【図３】別の実施の形態を示す要部断面説明図である。
【図４】従来の高温水洗浄装置を示す説明用一部断面側面図である。
【符号の説明】
【００３１】
１    第１ヒータ
２    第２ヒータ
３    タンク
３ａ  底面
３ｂ  側壁
４    カバー体
４ａ  一方側
４ｂ  他方側
５    吸込口部
６    補給水供給手段
７    板体
７ａ  周囲部
７ｂ  孔
８    高温水取出部
９    洗浄銃
10    洗浄装置
11    給水口部
12    ポンプ
21    配管
26    水噴出孔
27    パイプ
45    螺旋状誘導板
Ｓ    空間
【図１】
2005095826.tif 000003
【図２】
2005095826.tif 000004
【図３】
2005095826.tif 000005
【図４】
2005095826.tif 000006